【手続補正書】
【提出日】平成18年8月7日(2006.8.7)
【手続補正１】
【補正対象書類名】明細書
【補正対象項目名】特許請求の範囲
【補正方法】変更
【補正の内容】
【特許請求の範囲】
【請求項１】  多数のサブバンド（ＳＢ１．．．ＳＢ３２）と、前記サブバンド中の信号が区分けされている重なり合うウィンドウ関数とを用いて処理される（ＳＡＦＷ）音声信号を符号化する方法であって、
結果として得られるサンプルブロックは、夫々の場合に、スペクトル領域係数の対応するブロックへ変換され（ＳＡＦＷ）、データ圧縮を用いて符号化され（ＳｃＦＣｏｄ，ＮＱＣｏｄ）、
異なるウィンドウ形状が用いられ、使用されるウィンドウ形状についての情報は符号化された係数についての副情報の中で送信され、記録され、又は格納され、
所与の時間期間に亘って、第２のサブバンド群（ＳＢ３．．．ＳＢ３２）中のサブバンド信号を処理するために使用される対応するウィンドウ形状のシーケンスとは異なる所与のウィンドウ形状のシーケンスを少なくとも部分的に用いて第１のサブバンド群（ＳＢ１，ＳＢ２）の中でサブバンド信号を処理すると決めるとき、ウィンドウ形状が混ざっていることについての追加的な情報（mixed_block_flag）を前記副情報の中で送信し、記録し、又は格納し、
前記方法は、
第２のサブバンド群（ＳＢ３．．．ＳＢ３２）中のサブバンド信号を処理するために使用される対応するウィンドウ形状のシーケンスとは異なる所与のウィンドウ形状のシーケンスを少なくとも部分的に用いて第１のサブバンド群（ＳＢ１，ＳＢ２）の中でサブバンド信号を処理すると決めた後に、前記所与のシーケンス中で使用されるウィンドウ形状についての情報（block_type）を前記副情報の中で送信、記録、又は格納せず、
その代わりに、更なるサブバンド信号ウィンドウ切換設定種別についての情報を前記副情報の中で送信、記録、又は格納することを特徴とする方法。
【請求項２】  前記音声信号は、MPEG-1  Audio  Layer  3、MPEG-2  Audio  Layer  3、又は、AAC音声信号である、請求項１記載の方法。
【請求項３】  前記設定種別は、使用される全てのサブバンドのどれにおいて、前記ウィンドウ形状が混ざっていることについての追加的な情報（mixed_block_flag）によってウィンドウの切り換えが影響を受けるか、又は受けないかを定義する、請求項１又は２記載の方法。
【請求項４】  前記設定種別は、全てのサブバンドのうちの前記追加的な情報（mixed_block_flag）によって影響を受ける異なる固定サブバンド群を更に定義し、
及び／又は、前記設定種別は、全てのサブバンドのうちの前記追加的な情報（mixed_block_flag）によって影響を受ける可変サブバンド群を更に定義する、請求項３記載の方法。
【請求項５】  多数のサブバンド（ＳＢ１．．．ＳＢ３２）と、前記サブバンド中の信号が区分けされている重なり合うウィンドウ関数とを用いて処理された（ＳＡＦＷ）音声信号を復号化する方法であって、
結果として得られるサンプルブロックは、夫々の場合に、スペクトル領域係数の対応するブロックへ変換されており（ＳＡＦＷ）、データ圧縮を用いて符号化されており（ＳｃＦＣｏｄ，ＮＱＣｏｄ）、
異なるウィンドウ形状が用いられており、使用されるウィンドウ形状についての情報は符号化された係数についての副情報の中で送信され、記録され、又は格納されており、
所与の時間期間に亘って、第２のサブバンド群（ＳＢ３．．．ＳＢ３２）中のサブバンド信号を処理するために使用される対応するウィンドウ形状のシーケンスとは異なる所与のウィンドウ形状のシーケンスを少なくとも部分的に用いて第１のサブバンド群（ＳＢ１，ＳＢ２）の中でサブバンド信号を処理すると決めるとき、ウィンドウ形状が混ざっていることについての追加的な情報（mixed_block_flag）を前記副情報の中で送信し、記録し、又は格納しており、
前記復号化は、
受信、再生又は読み出された信号の前記副情報を復号化する（ＳＩＤｅｃ）段階と、
前記復号化された副情報を用いて、受信、再生又は読み出された符号のデータ圧縮符号化（ＩＮＱＤｅｃ）を行い、夫々の場合に、スペクトル領域係数の前記ブロックを対応するサンプルブロックへ逆変換（ＳＳＦＷ）する段階と、
前記逆変換されたサンプルブロックを前記重なり合うウィンドウ関数を用いて組み立て（ＳＳＦＷ）、前記多数のサブバンド信号（ＳＢ１．．．ＳＢ３２）を復号化された音声信号（ＰＣＭ）へ組み立てる（ＳＳＦＷ）段階とを含む方法であって、
前記方法は、
前記符号化において、第２のサブバンド群（ＳＢ３．．．ＳＢ３２）中のサブバンド信号を処理するために使用される対応するウィンドウ形状のシーケンスとは異なる所与のウィンドウ形状のシーケンスを少なくとも部分的に用いて第１のサブバンド群（ＳＢ１，ＳＢ２）の中でサブバンド信号を処理すると決めた後に、前記所与のシーケンス中で使用されるウィンドウ形状についての情報（block_type）を前記副情報の中で送信、記録、又は格納しておらず、その代わりに、更なるサブバンド信号ウィンドウ切換設定種別についての情報を前記副情報の中で送信、記録、又は格納しており、
前記復号化において、前記更なるサブバンド信号ウィンドウ切換設定種別情報を評価し（ＳＩＤｅｃ）、前記逆変換されたサンプルブロックを前記重なり合うウィンドウ関数を用いて組み立てるとき（ＳＳＦＷ）及び前記多数のサブバンド信号（ＳＢ１．．．ＳＢ３２）を復号化された音声信号（ＰＣＭ）へ組み立てるとき（ＳＳＦＷ）に、対応するウィンドウ形状を選択することを特徴とする、方法。
【請求項６】  前記音声信号は、MPEG-1  Audio  Layer  3、MPEG-2  Audio  Layer  3、又は、AAC音声信号である、請求項５記載の方法。
【請求項７】  前記設定種別は、使用される全てのサブバンドのうちのどれにおいて、前記ウィンドウ形状が混ざっていることについての追加的な情報（mixed_block_flag）によってウィンドウの切り換えが影響を受けるか、又は受けないかを定義する、請求項５又は６記載の方法。
【請求項８】  前記設定種別は、全てのサブバンドのうちの前記追加的な情報（mixed_block_flag）によって影響を受ける異なる固定サブバンド群を更に定義し、
及び／又は、前記設定種別は、全てのサブバンドのうちの前記追加的な情報（mixed_block_flag）によって影響を受ける可変サブバンド群を更に定義する、請求項７記載の方法。
【請求項９】  音声信号を符号化する装置であって、
多数のサブバンド（ＳＢ１．．．ＳＢ３２）と、前記サブバンド中の信号が区分けされている重なり合うウィンドウ関数とを用いて前記音声信号を処理し、夫々の場合に結果として得られるサンプルブロックをスペクトル領域係数の対応するブロックへ変換する手段（ＳＡＦＷ）と、
異なるウィンドウ形状が使用され、使用されるウィンドウ形状に関する情報（block_type）は符号化された係数のための副情報中の符号化された音声信号に添付される、データ圧縮を用いて前記係数を符号化する手段（ＳｃＦＣａｌ，ＳｃＦＣｏｄ，ＮＱＣｏｄ，ＦＦＴＡ，ＴｈＣａｌＳＤ，ＢＡｌｌＣａｌ，ＢＲＡｄｊ）と、
所与の時間期間に亘って、第２のサブバンド群（ＳＢ３．．．ＳＢ３２）中のサブバンド信号を処理するために使用される対応するウィンドウ形状のシーケンスとは異なる所与のウィンドウ形状のシーケンスを少なくとも部分的に用いて第１のサブバンド群（ＳＢ１，ＳＢ２）の中でサブバンド信号を処理すると決めるとき、ウィンドウ形状が混ざっていることについての追加的な情報（mixed_block_flag）が前記副情報に付され、
第２のサブバンド群（ＳＢ３．．．ＳＢ３２）中のサブバンド信号を処理するために使用される対応するウィンドウ形状のシーケンスとは異なる所与のウィンドウ形状のシーケンスを少なくとも部分的に用いて第１のサブバンド群（ＳＢ１，ＳＢ２）の中でサブバンド信号を処理すると決めた後に、前記所与のシーケンス中で使用されるウィンドウ形状についての情報（block_type）は、前記副情報に付されないが、その代わりに更なるサブバンド信号ウィンドウ切換設定種別に関する情報に付される、装置。
【請求項１０】  多数のサブバンド（ＳＢ１．．．ＳＢ３２）と、前記サブバンド中の信号が区分けされている重なり合うウィンドウ関数とを用いて処理された（ＳＡＦＷ）音声信号を復号化する装置であって、
結果として得られるサンプルブロックは、夫々の場合に、スペクトル領域係数の対応するブロックへ変換されており（ＳＡＦＷ）、データ圧縮を用いて符号化され（ＳｃＦＣｏｄ，ＮＱＣｏｄ）、
異なるウィンドウ形状が用いられており、使用されるウィンドウ形状についての情報（block_type）は符号化された係数についての副情報の中で送信され、記録され、又は格納されており、
所与の時間期間に亘って、第２のサブバンド群（ＳＢ３．．．ＳＢ３２）中のサブバンド信号を処理するために使用される対応するウィンドウ形状のシーケンスとは異なる所与のウィンドウ形状のシーケンスを少なくとも部分的に用いて第１のサブバンド群（ＳＢ１，ＳＢ２）の中でサブバンド信号を処理するという決定に続く符号化において、ウィンドウ形状が混ざっていることについての追加的な情報（mixed_block_flag）を前記副情報の中で送信し、記録し、又は格納しており、
前記装置は、
受信、再生又は読み出された信号の前記副情報を復号化する（ＳＩＤｅｃ）手段と、
前記復号化された副情報を用いて、受信、再生又は読み出された符号のデータ圧縮符号化を行い、夫々の場合に、スペクトル領域係数の前記ブロックを対応するサンプルブロックへ逆変換（ＳＳＦＷ）し、前記逆変換されたサンプルブロックを前記重なり合うウィンドウ関数を用いて組み立て（ＳＳＦＷ）、前記多数のサブバンド信号（ＳＢ１．．．ＳＢ３２）を復号化された音声信号（ＰＣＭ）へ組み立てる手段（ＩＮＱＤｅｃ，ＳＳＦＷ）手段とを含む装置であって、
前記符号化において、第２のサブバンド群（ＳＢ３．．．ＳＢ３２）中のサブバンド信号を処理するために使用される対応するウィンドウ形状のシーケンスとは異なる所与のウィンドウ形状のシーケンスを少なくとも部分的に用いて第１のサブバンド群（ＳＢ１，ＳＢ２）の中でサブバンド信号を処理すると決めた後に、前記所与のシーケンス中で使用されるウィンドウ形状についての情報（block_type）を前記副情報の中で送信、記録、又は格納しておらず、その代わりに、更なるサブバンド信号ウィンドウ切換設定種別についての情報を前記副情報の中で送信、記録、又は格納しており、
前記副情報を復号化する手段（ＳＩＤｅｃ）は、前記更なるサブバンド信号ウィンドウ切換設定種別情報を評価し、これは、データ圧縮復号化、逆変換、及び組み立てを行う前記手段（ＩＮＱＤｅｃ，ＳＳＦＷ）において、前記逆変換されたサンプルブロックを前記重なり合うウィンドウ関数を用いて組み立てるとき（ＳＳＦＷ）及び前記多数のサブバンド信号（ＳＢ１．．．ＳＢ３２）を復号化された音声信号（ＰＣＭ）へ組み立てるとき（ＳＳＦＷ）に、対応するウィンドウ形状を選択するために用いられることを特徴とする、装置。
【手続補正２】
【補正対象書類名】明細書
【補正対象項目名】００１４
【補正方法】変更
【補正の内容】
【００１４】
【課題を解決するための手段】
原理的には、本発明の方法は、多数のサブバンドと、サブバンド中の信号が区分けされている重なり合うウィンドウ関数とを用いて処理される音声信号を符号化することに適しており、
結果として得られるサンプルブロックは、夫々の場合に、スペクトル領域係数の対応するブロックへ変換され、データ圧縮を用いて符号化され、
異なるウィンドウ形状が用いられ、使用されるウィンドウ形状についての情報は符号化された係数についての副情報の中で送信され、記録され、又は格納され、
所与の時間期間に亘って、第２のサブバンド群中のサブバンド信号を処理するために使用される対応するウィンドウ形状のシーケンスとは異なる所与のウィンドウ形状のシーケンスを少なくとも部分的に用いて第１のサブバンド群の中でサブバンド信号を処理するという決定に続く符号化において、ウィンドウ形状が混ざっていることについての追加的な情報を副情報の中で送信し、記録し、又は格納し、
第２のサブバンド群中のサブバンド信号を処理するために使用される対応するウィンドウ形状のシーケンスとは異なる所与のウィンドウ形状のシーケンスを少なくとも部分的に用いて第１のサブバンド群の中でサブバンド信号を処理すると決めた後に、所与のシーケンス中で使用されるウィンドウ形状についての情報を副情報の中で送信、記録、又は格納せず、
その代わりに、更なるサブバンド信号ウィンドウ切換設定種別についての情報を副情報の中で送信、記録、又は格納する。